【手続補正書】
【提出日】平成19年3月27日(2007.3.27)
【手続補正１】
【補正対象書類名】特許請求の範囲
【補正対象項目名】全文
【補正方法】変更
【補正の内容】
【特許請求の範囲】
【請求項１】
吐出口からインクの主滴と副滴を吐出可能な記録ヘッドを用いて、所定方向に搬送される記録媒体に画像を記録するインクジェット記録装置において、
前記記録ヘッドは、前記インクと接する前記吐出口の近傍部分の濡れ性が前記搬送方向の上流側部分と下流側部分において異なり、
前記インクジェット記録装置は、前記記録媒体上における前記主滴の到達位置に対して前記副滴の到達位置を近づけるために、前記吐出口からの前記主滴と前記副滴の吐出方向を前記搬送方向においてずらすようにして前記記録媒体を搬送させる手段を備える
ことを特徴とするインクジェット記録装置。
【請求項２】
吐出口からインクの主滴と副滴を吐出可能な記録ヘッドを用いて、所定方向に搬送される記録媒体に画像を記録するインクジェット記録装置において、
前記吐出口が形成される前記記録ヘッドの吐出口面は、前記記録媒体の記録面に対して前記搬送方向に沿う方向に傾斜し、
前記インクジェット記録装置は、前記記録媒体上における前記主滴の到達位置に対して前記副滴の到達位置を近づけるために、前記吐出口からの前記主滴と前記副滴の吐出方向を前記搬送方向においてずらすようにして前記記録媒体を搬送させる手段を備える
ことを特徴とするインクジェット記録装置。
【請求項３】
吐出口からインクの主滴と副滴を吐出可能な記録ヘッドを用いて、所定方向に搬送される記録媒体に画像を記録するインクジェット記録装置において、
前記記録ヘッドは、前記インクと接する前記吐出口の周部に突起部が設けられ、
前記インクジェット記録装置は、前記記録媒体上における前記主滴の到達位置に対して前記副滴の到達位置を近づけるために、前記吐出口からの前記主滴と前記副滴の吐出方向を前記搬送方向においてずらすようにして前記記録媒体を搬送させる手段を備える
ことを特徴とするインクジェット記録装置。
【請求項４】
前記記録ヘッドは、インク吐出用の熱エネルギーを発生する電気熱変換素子を有することを特徴とする請求項１から３のいずれかに記載のインクジェット記録装置。
【請求項５】
所定方向に搬送される記録媒体に画像を記録するインクジェット記録装置に用いられて、吐出口からインクの主滴と副滴を吐出可能な記録ヘッドにおいて、
前記記録媒体上における前記主滴の到達位置に対して前記副滴の到達位置を近づけるために、前記吐出口からの前記主滴と前記副滴の吐出方向を前記搬送方向においてずらすように、前記インクと接する前記吐出口の近傍部分の濡れ性が前記搬送方向の上流側部分と下流側部分において異なることを特徴とする記録ヘッド。
【請求項６】
所定方向に搬送される記録媒体に画像を記録するインクジェット記録装置に用いられて、吐出口からインクの主滴と副滴を吐出可能な記録ヘッドにおいて、
前記記録媒体上における前記主滴の到達位置に対して前記副滴の到達位置を近づけるために、前記吐出口からの前記主滴と前記副滴の吐出方向を前記搬送方向においてずらすように、前記吐出口が形成される吐出口面は、前記記録媒体の記録面に対して前記搬送方向に沿う方向に傾斜することを特徴とする記録ヘッド。
【請求項７】
所定方向に搬送される記録媒体に画像を記録するインクジェット記録装置に用いられて、吐出口からインクの主滴と副滴を吐出可能な記録ヘッドにおいて、
前記記録媒体上における前記主滴の到達位置に対して前記副滴の到達位置を近づけるために、前記吐出口からの前記主滴と前記副滴の吐出方向を前記搬送方向においてずらすように、前記インクと接する前記吐出口の周部に突起部を設けたことを特徴とする記録ヘッド。
【請求項８】
インク吐出用の熱エネルギーを発生する電気熱変換素子を有することを特徴とする請求項５から７のいずれかに記載の記録ヘッド。
【手続補正２】
【補正対象書類名】明細書
【補正対象項目名】００１０
【補正方法】変更
【補正の内容】
【００１０】
本発明のインクジェット記録装置は、吐出口からインクの主滴と副滴を吐出可能な記録ヘッドを用いて、所定方向に搬送される記録媒体に画像を記録するインクジェット記録装置において、前記記録ヘッドは、前記インクと接する前記吐出口の近傍部分の濡れ性が前記搬送方向の上流側部分と下流側部分において異なり、前記インクジェット記録装置は、前記記録媒体上における前記主滴の到達位置に対して前記副滴の到達位置を近づけるために、前記吐出口からの前記主滴と前記副滴の吐出方向を前記搬送方向においてずらすようにして前記記録媒体を搬送させる手段を備えることを特徴とする。
また、本発明のインクジェット記録装置は、吐出口からインクの主滴と副滴を吐出可能な記録ヘッドを用いて、所定方向に搬送される記録媒体に画像を記録するインクジェット記録装置において、前記吐出口が形成される前記記録ヘッドの吐出口面は、前記記録媒体の記録面に対して前記搬送方向に沿う方向に傾斜し、前記インクジェット記録装置は、前記記録媒体上における前記主滴の到達位置に対して前記副滴の到達位置を近づけるために、前記吐出口からの前記主滴と前記副滴の吐出方向を前記搬送方向においてずらすようにして前記記録媒体を搬送させる手段を備えることを特徴とする。
また、本発明のインクジェット記録装置は、吐出口からインクの主滴と副滴を吐出可能な記録ヘッドを用いて、所定方向に搬送される記録媒体に画像を記録するインクジェット記録装置において、前記記録ヘッドは、前記インクと接する前記吐出口の周部に突起部が設けられ、前記インクジェット記録装置は、前記記録媒体上における前記主滴の到達位置に対して前記副滴の到達位置を近づけるために、前記吐出口からの前記主滴と前記副滴の吐出方向を前記搬送方向においてずらすようにして前記記録媒体を搬送させる手段を備えることを特徴とする。
【手続補正３】
【補正対象書類名】明細書
【補正対象項目名】００１１
【補正方法】変更
【補正の内容】
【００１１】
本発明の記録ヘッドは、所定方向に搬送される記録媒体に画像を記録するインクジェット記録装置に用いられて、吐出口からインクの主滴と副滴を吐出可能な記録ヘッドにおいて、前記記録媒体上における前記主滴の到達位置に対して前記副滴の到達位置を近づけるために、前記吐出口からの前記主滴と前記副滴の吐出方向を前記搬送方向においてずらすように、前記インクと接する前記吐出口の近傍部分の濡れ性が前記搬送方向の上流側部分と下流側部分において異なることを特徴とする。
また、本発明の記録ヘッドは、所定方向に搬送される記録媒体に画像を記録するインクジェット記録装置に用いられて、吐出口からインクの主滴と副滴を吐出可能な記録ヘッドにおいて、前記記録媒体上における前記主滴の到達位置に対して前記副滴の到達位置を近づけるために、前記吐出口からの前記主滴と前記副滴の吐出方向を前記搬送方向においてずらすように、前記吐出口が形成される吐出口面は、前記記録媒体の記録面に対して前記搬送方向に沿う方向に傾斜することを特徴とする。
また、本発明の記録ヘッドは、所定方向に搬送される記録媒体に画像を記録するインクジェット記録装置に用いられて、吐出口からインクの主滴と副滴を吐出可能な記録ヘッドにおいて、前記記録媒体上における前記主滴の到達位置に対して前記副滴の到達位置を近づけるために、前記吐出口からの前記主滴と前記副滴の吐出方向を前記搬送方向においてずらすように、前記インクと接する前記吐出口の周部に突起部を設けたことを特徴とする。